(57)【要約】【課題】紙詰まり等の不具合に対し容易に対処できる。【解決手段】記録用紙Ｐを搬送して表裏を反転させる用紙反転機構４５を備える印刷装置１０の用紙除去機構６０であって、前記用紙反転機構４５は、ループ状の用紙搬送経路４１と、前記用紙搬送経路４１に沿って配置される複数の紙送りローラー対４６，４７と、前記複数の紙送りローラー対４６，４７によって搬送される前記記録用紙Ｐの表裏面方向をガイドする第１紙ガイド部５２とを備え、前記第１紙ガイド部５２は、前記記録用紙Ｐの一方の面Ｐａをガイドし前記印刷装置１０の外装ケース１２側に位置する第１ガイド５４と、他方の面Ｐｂをガイドする第２ガイド５３と、を有し、前記第１ガイド５４が開放可能に設定され、前記用紙搬送経路４１の用紙搬送方向の最も上流側に位置する前記紙送りローラー対４６を含み、その下流側の前記用紙搬送経路４１の少なくとも一部分を開放する。【選択図】図３
2014170031.tif 000002
【特許請求の範囲】
【請求項１】
記録用紙を搬送して表裏を反転させる用紙反転機構を備える印刷装置の用紙除去機構であって、
前記用紙反転機構は、ループ状の用紙搬送経路と、
前記用紙搬送経路に沿って配置される複数の紙送りローラー対と、
前記複数の紙送りローラー対によって搬送される前記記録用紙の表裏面方向をガイドする紙ガイドと、を備え、
前記紙ガイドは、前記記録用紙の一方の面をガイドし前記印刷装置の外装ケース側に位置する第１ガイドと、他方の面をガイドする第２ガイドとを有し、
前記第１ガイドが開放可能に設定され、
前記用紙搬送経路の用紙搬送方向の最も上流側に位置する前記紙送りローラー対を含み、その下流側の前記用紙搬送経路の少なくとも一部分を開放することを特徴とする用紙除去機構。
【請求項２】
前記用紙搬送経路の用紙搬送方向の最も上流側に位置する前記紙送りローラー対は、前記記録用紙の進行方向を変更する位置に配置されていることを特徴とする請求項１に記載の用紙除去機構。
【請求項３】
前記第１ガイドが前記外装ケースを構成するケース部材であることを特徴とする請求項１または２に記載の用紙除去機構。
【請求項４】
前記第１ガイドおよび前記第２ガイドは、搬送される前記記録用紙に交差する方向の板状リブを有し、前記板状リブの端面で前記記録用紙をガイドすることを特徴とする請求項１乃至３のいずれか一項に記載の用紙除去機構。
【請求項５】
前記印刷装置は、インクをインク滴として吐出するインクジェット方式であることを特徴とする請求項１乃至４のいずれか一項に記載の用紙除去機構。
【請求項６】
記録用紙に情報を印刷する印刷機構と、
前記印刷機構に対して前記記録用紙を搬送する第１用紙搬送機構と、
前記印刷機構によって一方の面が印刷された前記記録用紙の面を反転させる用紙反転機構と、
前記用紙反転機構の用紙搬送経路に設けられた請求項１乃至５のいずれか一項に記載の用紙除去機構と、を備えることを特徴とする印刷装置。
【発明の詳細な説明】
【技術分野】
【０００１】
本発明は、用紙搬送経路より記録用紙を除去する用紙除去機構、およびそれを備えた印刷装置に関する。
【背景技術】
【０００２】
記録用紙に情報を印刷する印刷装置は、記録用紙に情報を印刷する印刷機構と、記録用紙を収容する記録用紙収容部から記録用紙を繰り出し印刷機構の位置まで搬送し用紙排出口より発行する用紙搬送機構とを有する。この種の印刷装置では、例えば湿度環境等によって記録用紙が曲がり、記録用紙を搬送する際に先端が用紙搬送機構の用紙ガイドの接続部分等に引っかかる場合がある。用紙ガイドに記録用紙の先端部が引っかかった状態で記録用紙が搬送されると、記録用紙が紙搬送経路で詰まってしまう。
【０００３】
このような紙詰まり等の不具合に対処するために、用紙搬送経路上に、詰まった記録用紙を取り除くための用紙除去スペースを有する用紙処理装置が提案されている（例えば、特許文献１参照）。用紙搬送経路で記録用紙が詰まった場合には、搬送ローラーを手動で回転させ、記録用紙を用紙除去スペースに移動させる。そして、用紙除去スペースに手を挿入し記録用紙を取り除く。
【先行技術文献】
【特許文献】
【０００４】
【特許文献１】特開２００３−３００６５７号公報
【発明の概要】
【発明が解決しようとする課題】
【０００５】
近年、記録用紙に印刷する情報量が増加し、高密度印刷や両面印刷を行う場合がある。特に、両面印刷では、用紙搬送経路が複雑になるとともに、片面が印刷されることによって歪み等が発生し変形した状態の記録用紙を搬送する場合がある。特にインクジェット方式の印刷装置では、インク滴を付着させ印刷を行うため、その傾向が顕著であり紙詰まりの危険性が増加する。
【０００６】
上述の用紙処理装置では、用紙搬送経路で記録用紙が詰まった場合は、記録用紙が変形することによって搬送ローラーと記録用紙とが接触しない状態になることがある。このような場合には搬送ローラーを回転させることで記録用紙を移動させることが難しくなる。そのため、詰まった記録用紙を取り除くことが困難であるとの課題があった。
【課題を解決するための手段】
【０００７】
本発明は、上述の課題の少なくとも一部を解決するためになされたものであり、以下の形態または適用例として実現することが可能である。
【０００８】
（適用例１）記録用紙を搬送して表裏を反転させる用紙反転機構を備える印刷装置の用紙除去機構であって、前記用紙反転機構は、ループ状の用紙搬送経路と、前記用紙搬送経路に沿って配置される複数の紙送りローラー対と、前記複数の紙送りローラー対によって搬送される前記記録用紙の表裏面方向をガイドする紙ガイドと、を備え、前記紙ガイドは、前記記録用紙の一方の面をガイドし前記印刷装置の外装ケース側に位置する第１ガイドと、他方の面をガイドする第２ガイドとを有し、前記第１ガイドは、開放可能に設定され、前記用紙搬送経路の用紙搬送方向の最も上流側に位置する前記紙送りローラー対を含み、その下流側の前記用紙搬送経路の少なくとも一部分を開放することを特徴とする用紙除去機構。
【０００９】
両面印刷の場合、印刷装置は、記録用紙の一方の面の印刷を実行し、その記録用紙を逆方向に搬送する。そして、記録用紙を用紙反転機構の用紙搬送経路に搬入する。記録用紙は、一方の面が印刷されているため、折れや歪み等の変形が発生する危険性が高い。そのため、用紙反転機構の導入部近傍で記録用紙の変形による障害が発生し、それを起点として紙詰まり等の不具合が発生する可能性が高い。この構成によれば、用紙反転機構の用紙搬送経路に搬入される記録用紙が始めに到達する紙送りローラー対を含み、次に続く用紙搬送経路の部分を開放することができる。その結果、印刷装置において、紙詰まり等の不具合が発生する可能性が高い部分を開放することができる。従って、紙詰まり等の用紙搬送に関する不具合が発生しても記録用紙を容易に除去することができる。
【００１０】
（適用例２）前記用紙搬送経路の用紙搬送方向の最も上流側に位置する前記紙送りローラー対は、前記記録用紙の進行方向を変更する位置に配置されていることを特徴とする上記の用紙除去機構。
【００１１】
印刷装置は、用紙反転機構の導入部近傍、特に記録用紙の進行方向を変更する位置を起点として紙詰まり等の不具合が発生する可能性が高い。この構成によれば、記録用紙の進行方向を変更する紙送りローラー対を含み、次に続く用紙搬送経路の部分を開放する。そのため、紙詰まり等の紙搬送の不具合が発生しやすい場所で記録用紙を除去できる。
【００１２】
（適用例３）前記第１ガイドが前記外装ケースを構成するケース部材であることを特徴とする上記の用紙除去機構。
【００１３】
この構成によれば、外装ケースを構成するケース部材と、記録用紙をガイドする第１ガイドを一体部品とすることができる。そのため、部品点数を低減できるとともに、印刷装置の外形方向の拡大を低減して省スペース化を実現できる。
【００１４】
（適用例４）前記第１ガイドおよび前記第２ガイドは、搬送される前記記録用紙に交差する方向の板状リブを有し、前記板状リブの端面で前記記録用紙をガイドすることを特徴とする上記の用紙除去機構。
【００１５】
この構成によれば、用紙搬送経路を搬送される記録用紙を板状リブの端面でガイドする。そのため、接触抵抗を低減することができ、スムーズな紙搬送を実現できる。ケース部材と一体で作成される場合、ケース部材の材料低減を実現できる。
【００１６】
（適用例５）前記印刷装置は、インクをインク滴として吐出するインクジェット方式であることを特徴とする上記の用紙除去機構。
【００１７】
この構成によれば、インクジェット方式の印刷装置は、記録用紙にインク滴を吐出して情報を印刷する。インクの乾燥が十分でないと湿り気を帯び記録用紙の剛性が低下し、折れや歪み等の変形が発生しやすい。そのため、紙詰まり等の不具合が発生する可能性が高くなる。インクジェット方式の印刷装置に本用紙除去機構を適用すると、最も紙詰まり等の不具合が発生する可能性が高い場所を開放できる。その結果、紙詰まり等の不具合が発生しても、当該記録用紙が容易に除去できる。
【００１８】
（適用例６）記録用紙に情報を印刷する印刷機構と、前記印刷機構に対して前記記録用紙を搬送する第１用紙搬送機構と、前記印刷機構によって一方の面が印刷された前記記録用紙の面を反転させる用紙反転機構と、前記用紙反転機構の用紙搬送経路に設けられた上記の用紙除去機構と、を備えることを特徴とする印刷装置。
【００１９】
この構成によれば、印刷装置は、紙詰まり等の紙搬送上の不具合が発生しても容易に記録用紙の除去ができる。
【図面の簡単な説明】
【００２０】
【図１】本実施形態に係る印刷装置としてのプリンターの外観斜視図。
【図２】プリンターの断面構成を示す概略断面図。
【図３】用紙除去機構を含むプリンターの外観斜視図。
【発明を実施するための形態】
【００２１】
以下、本実施形態について図面を参照して説明する。なお、以下の説明で参照する図面では、説明および図示の便宜上、部材ないし部分の縦横の縮尺を実際のものとは異なるように表す場合がある。なお、本実施形態では、印刷装置として、記録用紙にインク滴を吐出して印刷を行うインクジェットプリンターを例にとり説明する。本実施形態のインクジェットプリンターは、例えばＡ４サイズの記録用紙を記録用紙収容部から給紙して、記録用紙の表裏両面に情報を印刷して用紙排出口から発行することができるプリンターである。
【００２２】
（インクジェットプリンターの全体構成について）
まず、インクジェットプリンターの全体構成について、図１を参照して説明する。図１は、本実施形態に係る印刷装置としてのプリンターの外観斜視図であり、（ａ）は、記録用紙を排出する用紙排出口側、すなわち前面から見た外観斜視図、（ｂ）は、後面から見た外観斜視図である。なお、図１に示すＸ方向は、用紙排出口での記録用紙の排出方向を示し、Ｙ方向は、記録用紙の幅方向を示し、Ｚ方向は、Ｘ方向およびＹ方向と直交する方向を示す。
【００２３】
図１（ａ）に示すように、インクジェットプリンター（以降、プリンター１０という）は、後述するプリンター機構部２０（図２参照）を、上ケース１３と下ケース１４とから構成される外装ケース１２の内部に収容する。外装ケース１２の図中Ｙ方向およびＺ方向に延在する面１２ａには用紙排出口１５が開口している。用紙排出口１５には、印刷が終了した記録用紙Ｐ（図２参照）を保持する排紙トレイ１１が設けられている。この排紙トレイ１１は、外装ケース１２に対して着脱自在に取り付けられる。また、排紙トレイ１１の図中Ｚ方向下部には印刷される記録用紙Ｐを積層して収容する記録用紙収容部２２が配置されている。記録用紙収容部２２は、プリンター機構部２０に対して着脱自在に取り付けられる。
【００２４】
用紙排出口１５のＺ方向上部には、動作状態を表示するＬＥＤランプ等からなる表示部１７が設けられている。用紙排出口１５のＹ方向両側には、図示しないインクカートリッジを収納する同じく図示しないカートリッジ収納部がそれぞれ設けられている。カートリッジ収納部は、開閉可能なインクカバー１８ａ，１８ｂに覆われている。それぞれのインクカバー１８ａ，１８ｂを開くことで、インクカートリッジを交換することができる。
【００２５】
図１（ｂ）に示すように、プリンター１０の後面側には、後述する用紙搬送機構４０のうち用紙反転機構４５（図２参照）を収容するとともに、用紙反転機構４５の一部をなすケース部材としての開閉蓋１９が設けられている。この開閉蓋１９は、方形状に形成され、図中Ｚ方向下側の辺近傍を回転中心として矢印Ａ方向に回動可能となっている。開閉蓋１９の詳細については後述する。
【００２６】
（プリンター機構部の構成について）
次いで、外装ケースに収容されるプリンター機構部の構成について、図２を参照して説明する。図２は、プリンターの断面構成を示す概略断面図である。なお、図２に示すＸ方向、Ｙ方向およびＺ方向は、図１に示すＸ方向、Ｙ方向およびＺ方向と同一な方向を示す。
【００２７】
図２に示すように、プリンター機構部２０は、上述の記録用紙収容部２２と、用紙搬送機構４０と、印刷機構３０と、図示しない制御部とを有している。用紙搬送機構４０は、第１用紙搬送機構２５と、用紙反転機構４５とを有する。
【００２８】
（片面印刷の場合について）
本実施形態のプリンター１０は、例えばＡ４サイズ等の記録用紙Ｐの表裏両面に印刷可能なプリンターである。まず、第１用紙搬送機構２５と印刷機構３０とを用い記録用紙Ｐの一方の面Ｐａに情報を印刷する場合について説明する。
【００２９】
図２に示すように、第１用紙搬送機構２５は、記録用紙収容部２２を起点とし用紙排出口１５を終点とする湾曲した図中一点鎖線で示す第１用紙搬送経路２１に沿って記録用紙Ｐを搬送する。第１用紙搬送機構２５は、第１用紙搬送経路２１に沿って、順に記録用紙繰り出し機構２３と、第１紙送りローラー対２８と、２つの第２紙送りローラー対２９とを備えている。記録用紙繰り出し機構２３は、外周に一部平面部を有する円弧状の繰り出しローラー２４を備える。繰り出しローラー２４は、図示しない繰り出しモーターから駆動力を得て回転する。繰り出しローラー２４が回転し、記録用紙収容部２２に積層状態で収容されている記録用紙Ｐの表面に円弧部が接触し回転すると、記録用紙Ｐは１枚ずつ第１用紙搬送経路２１に送り込まれる。
【００３０】
第１紙送りローラー対２８は、第１紙送りローラー２８ａと第１押えローラー２８ｂとを備える。第１紙送りローラー２８ａは、第１用紙搬送経路２１の第１湾曲部２７を構成する位置に配置される。第１紙送りローラー２８ａは、図示しない紙送りモーターから駆動力を得て回転する。第１押えローラー２８ｂは、第１紙送りローラー２８ａの外周部に所定の押圧力で回転自在に配置されている。第１紙送りローラー対２８は、記録用紙繰り出し機構２３によって第１用紙搬送経路２１に送り込まれた記録用紙Ｐを、第１紙送りローラー２８ａと第１押えローラー２８ｂとの間に挟持し、第１用紙搬送経路２１のストレート部分（Ｘ方向）に送り込む。
【００３１】
第２紙送りローラー対２９は、外装ケース１２の用紙排出口１５近傍に２つ並列して設けられる。２つの第２紙送りローラー対２９は、それぞれ第２紙送りローラー２９ａと第２押えローラー２９ｂとを備える。２つの第２紙送りローラー２９ａは、それぞれ第１用紙搬送経路２１のＺ方向下部に配置され、図示しない紙送りモーターから駆動力を得て回転する。２つの第２押えローラー２９ｂは、それぞれ第１用紙搬送経路２１のＺ方向上部に位置し、第２紙送りローラー２９ａの外周部に所定の押圧力で回転自在に配置され記録用紙Ｐを挟持する。第２紙送りローラー対２９は、前述の第１紙送りローラー対２８と協働して、第１用紙搬送経路２１のストレート部分に送り込まれた記録用紙Ｐを用紙排出口１５方向に搬送する。なお、図２に示す矢印Ｓ（＋）は、このときの記録用紙Ｐの搬送方向を示し、以降、Ｓ（＋）方向を正の搬送方向（正方向）という。
【００３２】
図２に示すように、印刷機構３０は、インクジェットヘッド３２と、キャリッジ３３と、プラテン３４と、図示しないキャリッジ送り機構とを有する。印刷機構３０は、上述の第１用紙搬送機構２５の第１紙送りローラー対２８と第２紙送りローラー対２９との間、詳しくは、用紙排出口１５近傍に設けられた第２紙送りローラー対２９側に配置される。
【００３３】
インクジェットヘッド３２は、前述のカートリッジ収納部に収納されたインクカートリッジから供給されるインクをインク滴として吐出する複数の図示しないノズルを有する。インクジェットヘッド３２は、ノズルを図２中Ｚ方向下方、すなわち記録用紙Ｐ側（第１用紙搬送経路２１側）に向けてキャリッジ３３に搭載される。キャリッジ３３は、記録用紙Ｐの幅方向（Ｙ方向）に延在するキャリッジ軸３６に移動可能に支持され、キャリッジ送り機構によってＹ方向に往復移動される。プラテン３４は、インクジェットヘッド３２と第１用紙搬送経路２１を挟んで対峙する位置に配置され、印刷機構３０の印刷位置を規定する機能を有する。
【００３４】
プリンター１０は、図示しない外部コンピューター等から印刷命令が送信されると、記録用紙収容部２２に積層状態で収容される記録用紙Ｐを、第１用紙搬送機構２５によって１枚ずつ第１用紙搬送経路２１に沿って所定の紙送りピッチで図中Ｓ（＋）方向に搬送する。印刷機構３０は、搬送される記録用紙Ｐに対して、インクジェットヘッド３２を図中Ｙ方向に移動させながら、外部コンピューター等から送信される印刷データに従ってインクをインク滴として選択的に吐出する。その結果、記録用紙Ｐには所望の情報が印刷される。外部コンピューター等から印刷命令が片面印刷であった場合は、第１用紙搬送機構２５によって、印刷済の記録用紙Ｐは、外装ケース１２の用紙排出口１５から発行され排紙トレイ１１に保持される。
【００３５】
（両面印刷の場合について）
次いで、第１用紙搬送機構２５と、印刷機構３０と、用紙反転機構４５とを用いて、記録用紙Ｐの一方の面Ｐａおよび他方の面Ｐｂに情報を印刷し両面印刷する場合について説明する。
【００３６】
図２に示すように、用紙反転機構４５は、プリンター１０のＸ方向後方に配置され、第２用紙搬送経路４１と、複数の紙送りローラー対としての第３紙送りローラー対４６および第４紙送りローラー対４７と、紙搬送ガイド群５０とを備える。図中２点鎖線で示す第２用紙搬送経路４１は、上述の第１用紙搬送経路２１の第１湾曲部２７近傍を起点および終点とするループ状としての略楕円曲線状に形成されている。ここで、第２用紙搬送経路４１の図中Ｚ方向に伸びる略楕円曲線の上部の湾曲を第２湾曲部４３と称し、下部の湾曲を第３湾曲部４４と称する。なお、第２用紙搬送経路４１において、記録用紙Ｐは、図中時計回り方向（矢印Ｔ方向）に搬送される。
【００３７】
第３紙送りローラー対４６は、第２用紙搬送経路４１の第２湾曲部４３近傍、言い換えれば、第１用紙搬送経路２１の第１湾曲部２７近傍に配置される。第３紙送りローラー対４６は、第３紙送りローラー４６ａと第３押えローラー４６ｂとを備える。第３紙送りローラー４６ａは、第２用紙搬送経路４１の第２湾曲部４３の内側に配置される。第３紙送りローラー４６ａは、図示しない紙送りモーターから駆動力を得て回転する。第３押えローラー４６ｂは、第３紙送りローラー４６ａの外周部に所定の押圧力で回転自在に配置されている。なお、この第３紙送りローラー対４６は、用紙反転機構４５において、記録用紙Ｐが初めに到達する紙送りローラー対である。
【００３８】
第４紙送りローラー対４７は、第２用紙搬送経路４１の第３湾曲部４４近傍に配置される。第４紙送りローラー対４７は、第４紙送りローラー４７ａと第４押えローラー４７ｂとを備える。第４紙送りローラー４７ａは、第２用紙搬送経路４１の第３湾曲部４４の内側に配置される。第４紙送りローラー４７ａは、図示しない紙送りモーターから駆動力を得て回転する。第４押えローラー４７ｂは、第４紙送りローラー４７ａの外周部に所定の押圧力で回転自在に配置されている。
【００３９】
紙搬送ガイド群５０は、紙ガイドとしての第１紙ガイド部５２と、第２紙ガイド部５７とを有する。第１紙ガイド部５２は、第２用紙搬送経路４１の第３紙送りローラー対４６と第４紙送りローラー対４７とをつなぐ位置、言い換えれば、略楕円曲線状の第２用紙搬送経路４１の第２湾曲部４３と第３湾曲部４４とをつなぐ位置に設けられる。第１紙ガイド部５２は、記録用紙Ｐの一方の面Ｐａをガイドする第１ガイド５４と、記録用紙Ｐの他方の面Ｐｂをガイドする第２ガイド５３とから構成され、第２用紙搬送経路４１を挟んで対向する位置に配置される。第１紙ガイド部５２は、第２用紙搬送経路４１を搬送される記録用紙Ｐの紙厚方向をガイドする機能を有する。第２紙ガイド部５７は、第２用紙搬送経路４１の第４紙送りローラー対４７と第１用紙搬送機構２５の第１紙送りローラー対２８とをつなぐように配置され、記録用紙Ｐの一方の面Ｐａをガイドする。紙搬送ガイド群５０の詳細については後述する。
【００４０】
プリンター１０は、図示しない外部コンピューター等から両面印刷の命令が送信されると、上述の一方の面Ｐａの印刷を実行する。そして、第１用紙搬送機構２５の第１紙送りローラー対２８および第２紙送りローラー対２９を逆回転させ、一方の面Ｐａの印刷が終了した記録用紙Ｐを第１用紙搬送経路２１に沿って逆方向（Ｓ（−）方向）に搬送する。
【００４１】
逆方向に搬送される記録用紙Ｐは、用紙反転機構４５の第２用紙搬送経路４１に搬入される。このとき、図示しない経路分岐機構を動作させ、記録用紙繰り出し機構２３から第１紙送りローラー対２８までの第１用紙搬送経路２１を封鎖することが好ましい。搬入された記録用紙Ｐは、第２用紙搬送経路４１に沿って矢印Ｔ方向に進み、第３紙送りローラー対４６の第３紙送りローラー４６ａと第３押えローラー４６ｂとに挟持される。記録用紙Ｐは、第３紙送りローラー４６ａの回転によって方向転換させられるとともに第１紙ガイド部５２の第１ガイド５４と第２ガイド５３との間を進み、第４紙送りローラー対４７に至る。
【００４２】
記録用紙Ｐは、第４紙送りローラー対４７の第４紙送りローラー４７ａと第４押えローラー４７ｂとに挟持される。記録用紙Ｐは、第４紙送りローラー対４７の回転によって方向転換させられるとともに第２紙ガイド部５７に沿って進み、第１紙送りローラー対２８に至る。このとき、第１用紙搬送機構２５の第１紙送りローラー対２８は正方向に回転し、記録用紙Ｐを第１用紙搬送経路２１に送り込む。記録用紙Ｐは、略楕円曲線状の第２用紙搬送経路４１を矢印Ｔ方向に一周したため、記録用紙Ｐの印刷済の一方の面ＰａがＺ方向下方を向き、印刷前の他方の面ＰｂがＺ方向上方を向く。
【００４３】
この状態の記録用紙Ｐを、第１用紙搬送機構２５によって第１用紙搬送経路２１に沿って所定の紙送りピッチで図中Ｓ（＋）方向に搬送する。印刷機構３０は、搬送される記録用紙Ｐの他方の面Ｐｂに対して、インクジェットヘッド３２を図中Ｙ方向に移動させながら、外部コンピューター等から送信される印刷データに従ってインクをインク滴として選択的に吐出する。そのため、既に一方の面Ｐａに情報が印刷された記録用紙Ｐの他方の面Ｐｂにも所望の情報が印刷され、両面印刷が完成する。両面印刷済の記録用紙Ｐは、外装ケース１２の用紙排出口１５から発行され排紙トレイ１１に保持される。
【００４４】
制御部は、上述の第１用紙搬送機構２５、用紙反転機構４５および印刷機構３０を含むプリンター１０を統括的に制御する。
【００４５】
（用紙除去機構について）
ここで、用紙除去機構について図１〜図３を参照して説明する。図３は、用紙除去機構を含むプリンターの外観斜視図である。なお、図３に示すＸ方向、Ｙ方向およびＺ方向は、図１および図２に示すＸ方向、Ｙ方向およびＺ方向と同一な方向を示す。
【００４６】
両面印刷の場合、上述のプリンター１０は、図２に示す記録用紙Ｐの一方の面Ｐａの印刷を実行し、その記録用紙Ｐを第１用紙搬送機構２５によって第１用紙搬送経路２１を逆方向に搬送する。そして、記録用紙Ｐを用紙反転機構４５の第２用紙搬送経路４１に搬入する。記録用紙Ｐは、一方の面Ｐａにインク滴によって情報が印刷されているため、インクの乾燥が十分でない場合がある。インクの乾燥が不十分だと、記録用紙Ｐは湿り気を帯び剛性が低下している。特に、画像等の高密度印刷の場合はこの傾向が顕著である。記録用紙Ｐの剛性が低下していると折れや歪み等の変形が発生し紙詰まり等の不具合が発生する。
【００４７】
発明者は、この不具合を低減させるため、紙経路構造、速乾性インク等を含め様々な実験、観察を行った。その結果、記録用紙Ｐの紙詰まり等の不具合は、始めに進路を変更する場所で発生する可能性が高いことが分かった。また、その場所を過ぎるとインクが乾燥して紙詰まり等の不具合が極端に低下することが分かった。本発明に係る用紙除去機構６０は、この知見に基づいて成されたものである。
【００４８】
図２および図３に示すように、用紙除去機構６０は、開閉蓋１９と、紙搬送ガイド群５０の第１紙ガイド部５２と、開閉機構６５とを有する。
【００４９】
図１（ｂ）および図３に示すように、開閉蓋１９は、一方の面１９ａ（外面）を外装ケース１２の構成部材（ケース部材）とし、外装ケース１２の下面側（図中Ｚ方向下側）を支点６２として矢印Ａ方向に開閉可能となっている。開閉蓋１９には、開閉機構６５が設けられている。開閉レバー６４は、円柱状の軸６３に２つのフック６６と２つの操作部６７（図１（ｂ）参照）とが形成され、開閉蓋１９の他方の面１９ｂ（内面）に回動自在に取り付けられている。
【００５０】
このとき、操作部６７は、開閉蓋１９の一方の面１９ａ（外面）から露出している。フック６６は、開閉蓋１９の他方の面１９ｂ側に配置され、開閉蓋１９が閉状態のとき、上ケース１３の設けられた係合部６６ａに係合するように配置されている。そのため、図１（ｂ）に示す状態のとき、操作部６７を押し下げると、フック６６が係合部６６ａから外れて、支点６２を中心に矢印Ａ方向に回動して図３に示す開放状態となる。
【００５１】
開閉蓋１９の他方の面１９ｂには、第１ガイド５４が一体に形成されている。具体的には、図２に示す第２用紙搬送経路４１に沿い第１ガイド５４を構成する板状リブ５４ａが、Ｙ方向に所定の間隔を隔てて複数立ち上がっている。そのため、開閉蓋１９が開放状態になると、第２用紙搬送経路４１の第２湾曲部４３と第３湾曲部４４とに及ぶ範囲が全て解放される。すなわち、第３紙送りローラー対４６の第３紙送りローラー４６ａおよび第１紙ガイド部５２の第２ガイド５３も目視可能となる。
【００５２】
なお、本実施形態では、記録用紙Ｐの第２用紙搬送経路４１でのスムーズな走行を実現するために、第３紙送りローラー４６ａをＹ方向に分割し形成するとともに、第２ガイド５３も、第１ガイド５４と同様に、Ｙ方向に所定の間隔を隔てて立ち上がる複数の板状リブ５３ａとして形成している。また、第２ガイド５３の板状リブ５３ａと第１ガイド５４の板状リブ５４ａとは、Ｙ方向において互い違いに配列されるように配置される。さらには、第２用紙搬送経路４１の第２湾曲部４３および第３湾曲部４４に沿う第２ガイド５３の板状リブ５３ａと第１ガイド５４の板状リブ５４ａとは、記録用紙Ｐのスムーズな走行や、紙詰まりした記録用紙Ｐの容易な除去を実現するために曲率や形状が決められている。
【００５３】
以下、本実施形態の効果を記載する。
（１）上述の用紙除去機構６０は、用紙反転機構４５において、紙詰まりの起点となる一方の面Ｐａが印刷された記録用紙Ｐが始めに進路を変更する場所である第３紙送りローラー対４６付近と、その後、紙詰まりが発生しやすい第２用紙搬送経路４１の第２湾曲部４３と第３湾曲部４４とに及ぶ範囲を開放する。そのため、紙詰まり等の紙搬送の不具合が発生しても記録用紙Ｐの除去等の対処が容易になる。
【００５４】
（２）上述の用紙除去機構６０は、外装ケース１２を構成する開閉蓋１９に第１ガイド５４を一体に形成している。そのため、プリンター１０として部品点数を低減できるとともに、奥行きの拡大を低減して省スペース化を実現できる。
【００５５】
以上、本発明の実施形態について説明したが、上記実施形態に対しては、本発明の趣旨から逸脱しない範囲で様々な変形を加えることができる。例えば上記実施形態以外の変形例は、以下の通りである。
【００５６】
上記実施形態では、開閉蓋１９を開放したときに、第３紙送りローラー対４６が開放される場合を例にとり説明したがこれに限定しない。第３紙送りローラー対４６の第３押えローラー４６ｂを開閉蓋１９側に配置し、開閉蓋１９を開放したときに第３紙送りローラー４６ａと第３押えローラー４６ｂとを分離する構造としてもよい。この場合は、紙詰まりした記録用紙Ｐをさらに容易に除去することができる。
【符号の説明】
【００５７】
１０…印刷装置としてのプリンター（インクジェットプリンター）、１２…外装ケース、１９…ケース部材としての開閉蓋、２０…プリンター機構部、２１…第１用紙搬送経路、２５…第１用紙搬送機構、２８…第１紙送りローラー対、２９…第２紙送りローラー対、３０…印刷機構、３２…インクジェットヘッド、４０…用紙搬送機構、４１…第２用紙搬送経路、４５…用紙反転機構、４６…始めに到達する紙送りローラー対としての第３紙送りローラー対、４７…第４紙送りローラー対、５０…紙搬送ガイド群、５２…第１紙ガイド部、５３…第２ガイド、５４…第１ガイド、５７…第２紙ガイド部、６０…用紙除去機構、６５…開閉機構、Ｐ…記録用紙。
【図１】
2014170031.tif 000003
【図２】
2014170031.tif 000004
【図３】
2014170031.tif 000005